(57)【要約】  【課題】  小型で、軽量で、安価な冷却装置を提供する。  【解決手段】  冷却装置１は、内部機器を収容する筐体３と、筐体３に備えられたペルチェ素子５と、ペルチェ素子５に対して筐体外部側に備えられた放熱ヒートシンク７と、ペルチェ素子５に対して筐体内部側に備えられ、の吸熱フィン５１が立設された吸熱ヒートシンク１１と、筐体内部に備えられ、吸熱ヒートシンク１１の吸熱フィン５１に沿って送風し、吸熱フィン５１により冷却される空気を筐体内で撹拌する冷気撹拌用ファン１３、１５とを備えている。【選択図】  図１
2006292269.tif 000002
【特許請求の範囲】
【請求項１】
内部機器を収容する筐体と、
前記筐体に備えられたペルチェ素子と、
前記ペルチェ素子に対して筐体外部側に備えられた放熱ヒートシンクと、
前記ペルチェ素子に対して筐体内部側に備えられ、複数の吸熱フィンが立設された吸熱ヒートシンクと、
前記筐体内部に備えられ、前記吸熱ヒートシンクの前記吸熱フィンに沿って送風し、前記吸熱フィンにより冷却される空気を前記筐体内で撹拌する冷気撹拌用ファンと、
を備えたことを特徴とする冷却装置。
【請求項２】
複数の前記冷気撹拌用ファンが、前記吸熱ヒートシンクを挟んで前記吸熱フィンの方向の両端に配置されており、前記複数の冷気撹拌用ファンは、反対向きに送風を行うように配置されており、かつ、送風方向に対して互いに横方向にずれて配置されていることを特徴とする請求項１に記載の冷却装置。
【請求項３】
前記放熱ヒートシンクの熱を放出する放熱ファンが備えられていることを特徴とする請求項１または２に記載の冷却装置。
【請求項４】
前記筐体の内面に沿って筐体内部空間から隔離された空気室が備えられており、前記筐体の外面が断熱材で覆われていることを特徴とする請求項１ないし３のいずれかに記載の冷却装置。
【請求項５】
前記吸熱ヒートシンクの下部に水受けトレイが配置され、前記水受けトレイの底部の水抜き穴に、水を吸収する吸収剤を内蔵した水抜き部材が接続されていることを特徴とする請求項１ないし４のいずれかに記載の冷却装置。
【請求項６】
前記吸収剤は木綿糸であり、前記水抜き部材はパイプであり、前記筐体外部まで延びていることを特徴とする請求項５に記載の冷却装置。
【発明の詳細な説明】
【技術分野】
【０００１】
本発明は、筐体内部の機器を冷却する冷却装置に関し、特に、ペルチェ素子を備えた冷却装置に関する。
【背景技術】
【０００２】
従来、コンピュータに代表される電子機器の発達がめざましく、屋内機器はもちろんのこと、コンピュータを内蔵した各種の屋外機器も用いられている。このような屋外機器としては、例えば、路上カメラの制御装置が挙げられる。この種の制御装置は歩道に設置されて、支柱の上の路上カメラと接続される。
【０００３】
ところで、コンピュータの主要部たるＣＰＵやＨＤＤ装置は、熱に弱く、雰囲気温度が過度に上昇すると誤動作が生じる。そのため、ＣＰＵやＨＤＤ装置の雰囲気温度を一定値以下に保つ必要がある。そこで、従来の屋内機器は、天面に複数の強力なファンを備えている。また、従来の屋外機器は、より大きな冷却能力を得るために、天面に熱交換機を備えており、上述の路上カメラ制御装置もその例である。
【０００４】
一方、冷却装置の小型化を可能にする技術として、ペルチェ素子が知られている（特許文献１、２）。ペルチェ素子は、熱電半導体素子であり、電流の供給によって一方の素子面の温度が低下し、他方の素子面の温度が上昇する。例えば、特許文献１は、機器内の熱をヒートパイプで機器外に移動して、ペルチェ素子で冷却を行っている。
【特許文献１】特開２０００−１６５０７７号公報（第４−５ページ、図３）
【特許文献２】特開平１１−１５３３６７号公報（第２−３ページ、図２）
【発明の開示】
【発明が解決しようとする課題】
【０００５】
しかしながら、従来の冷却装置は冷却能力が低く、十分な冷却能力を得ようとすると大型化してしまい、コストも高くなるという問題がある。例えば、前出の路上カメラの制御装置の場合、外気温は約５０度に達し、機器内部の温度は約６５度に達する。一方、ＨＤＤ装置の上限温度は４０度程度である。そのため、ある程度の機器温度低下を超えて、筐体内雰囲気温度を周囲温度よりも下げるような強大な冷却能力が求められる。このような要求に応えて機器内部温度を十分に下げるために、従来は、大型の熱交換機の設置が必要になり、構造が複雑化し、装置の全体重量も増大し、コストも高くなっている。また、大型の熱交換機を機器上部に設置するので、安定性の面でも不利である。また、従来のペルチェ素子タイプの冷却装置は小型であるが、冷却能力が限られており、上記のような過酷な状況で機器内の雰囲気温度を効果的に下げることは容易でない。
【０００６】
また、屋外機器では、冷却に伴う結露等で水が溜まり、太陽熱によって内部温度が上昇したときに水が蒸発する。したがって、内部環境が高温・高湿度状態になる傾向がある。このような環境は、筐体内に実装された機器の錆やマイグレーションによる回路トラブル等の原因になる。そこで、機器内の水を効果的に排出することが望まれる。
【０００７】
本発明は、従来の問題を解決するためになされたもので、その目的は、小型、軽量、安価で、高い冷却能力が得られる冷却装置を提供することにある。
【課題を解決するための手段】
【０００８】
本発明の冷却装置は、内部機器を収容する筐体と、前記筐体に備えられたペルチェ素子と、前記ペルチェ素子に対して筐体外部側に備えられた放熱ヒートシンクと、前記ペルチェ素子に対して筐体内部側に備えられ、複数の吸熱フィンが立設された吸熱ヒートシンクと、前記筐体内部に備えられ、前記吸熱ヒートシンクの前記吸熱フィンに沿って送風し、前記吸熱フィンにより冷却される空気を前記筐体内で撹拌する冷気撹拌用ファンとを備えている。
【０００９】
この構成により、ペルチェ素子の両側に放熱ヒートシンクと吸熱ヒートシンクを備え、さらに、吸熱ヒートシンクに対する送風によって筐体内の冷気を撹拌する冷気撹拌用ファンを備えたので、ペルチェ素子を介した熱放出を効果的に促進できる。また、従来の熱交換機と比べると同程度の能力でも装置を小型化できる。したがって、小型、軽量、安価で高い冷却能力を持つ冷却装置を提供できる。
【００１０】
また、本発明の冷却装置では、複数の前記冷気撹拌用ファンが、前記吸熱ヒートシンクを挟んで前記吸熱フィンの方向の両端に配置されており、前記複数の冷気撹拌用ファンは、反対向きに送風を行うように配置されており、かつ、送風方向に対して互いに横方向にずれて配置されている。この構成により、筐体内の空気の撹拌を促進して、さらに冷却能力を向上できる。
【００１１】
また、本発明の冷却装置では、前記放熱ヒートシンクの熱を放出する放熱ファンが備えられている。この構成により、放熱ヒートシンクからの放熱を促進でき、さらに冷却能力を向上できる。
【００１２】
また、本発明の冷却装置では、前記筐体の内面に沿って筐体内部空間から隔離された空気室が備えられており、前記筐体の外面が断熱材で覆われている。この構成により、筐体内の冷気が逃げるのを防ぎ、冷却能力を向上できる。
【００１３】
また、本発明の冷却装置では、前記吸熱ヒートシンクの下部に水受けトレイが配置され、前記水受けトレイの底部の水抜き穴に、水を吸収する吸収剤を内蔵した水抜き部材が接続されている。この構成により、結露で生じる筐体内の水を効果的に排出できる。
【００１４】
また、本発明の冷却装置において、前記吸収剤は木綿糸であり、前記水抜き部材はパイプであり、前記筐体外部まで延びている。この構成により、安価な素材で水分の排出を効果的に促進できる。
【発明の効果】
【００１５】
本発明は、ペルチェ素子の両側に放熱ヒートシンクと吸熱ヒートシンクを備え、さらに、吸熱ヒートシンクに対する送風によって筐体内を撹拌する冷気撹拌用ファンを備えたので、ペルチェ素子を介した熱放出を効果的に促進でき、したがって、小型、軽量、安価な構成で高い冷却能力を発揮できるという効果を有する冷却装置を提供できる。
【発明を実施するための最良の形態】
【００１６】
以下、本発明の実施の形態の冷却装置について、図面を用いて説明する。
【００１７】
本発明の実施の形態に係る冷却装置を図１および図２に示す。本実施の形態の冷却装置は、屋外機器に備えられており、より詳細には、路上カメラの制御装置に備えられる。ただし、本発明は屋外機器に限定されず、冷却装置が屋内機器に備えられてもよい。
【００１８】
図１において、冷却装置１は、概略構成としては、筐体３と、筐体３の壁面に備えられたペルチェ素子５と、ペルチェ素子５に対して外部側に備えられた放熱ヒートシンク７と、放熱ヒートシンク７に取り付けられた放熱ファン９と、ペルチェ素子５に対して内部側に備えられた吸熱ヒートシンク１１と、吸熱ヒートシンク１１に送風するように筐体内に備えられた一対の冷気撹拌用ファン１３、１５とを備えており、さらに、吸熱ヒートシンク１１の下部には水受けトレイ１７が備えられ、水受けトレイ１７から筐体外部へ向けて水抜きパイプ１９が延びている。以下、各部の構成を詳細に説明する。
【００１９】
筐体３は、板状の筐体部材２１で構成されており、内部機器２３を収容している。内部機器２３は、例えば、ＣＰＵおよびＨＤＤ装置を備えたコンピュータである。筐体３の一の壁面にペルチェ素子５が備えられている。ペルチェ素子５は周知のように熱電半導体素子である。ペルチェ素子５は板状であり、一方の面が高温面であり、他方の面が低温面である。ペルチェ素子５には電流供給用のコードが接続されており、電流が供給されると高温面の温度が上昇し、低温面の温度が下がる。ペルチェ素子５は、高温面が筐体外部を向き、低温面が筐体内部を向くように配置されている。なお、本発明ではペルチェ素子５の位置は限定されず、例えば天井に備えられてもよい。
【００２０】
ペルチェ素子５の高温面（外側を向いた面）には、放熱ヒートシンク７が密着している。放熱ヒートシンク７は、アルミニウム製のブロックであり、ベース板部３１の上に複数の放熱フィン３３が平行に立設された構成を有している。放熱ヒートシンク７のベース板部３１の裏面がペルチェ素子５と密着している。ベース板部３１のサイズはペルチェ素子５より大きく、ベース板部３１の略中央にペルチェ素子５が配置されている。また、ペルチェ素子５と放熱ヒートシンク７の間には熱伝導グリスが塗布されている。
【００２１】
放熱ファン９はフード３７を備えており、フード３７が放熱ヒートシンク７を覆っている。放熱ファン９は、放熱フィン３３の頂部の外側に配置されている。そして、放熱ファン９は、放熱フィン３３の隙間の空気（熱気）を外にはき出すように、すなわち図１の矢印３７の向きに送風を行うように配置されている。
【００２２】
一方、ペルチェ素子５の低温面（内側を向いた面）には、銅製の導冷板４１が密着しており、導冷板４１の反対側には吸熱ヒートシンク１１が密着している。ペルチェ素子５と導冷板４１の間には熱伝導グリスが塗布されており、また、導冷板４１と吸熱ヒートシンク１１の間にも熱伝導グリスが塗布されている。
【００２３】
吸熱ヒートシンク１１はアルミニウム製ブロックであり、筐体３の内部に位置している。吸熱ヒートシンク１１は、ねじ４３で導冷板４１に固定されている。また、吸熱ヒートシンク１１はねじ４５で固定板４７に締め付けられており、固定板４７によって筐体３の壁部の内面に固定されている。
【００２４】
吸熱ヒートシンク１１は、ベース板部４９の上に複数の吸熱フィン５１が平行に立設された構成を有している。ベース板部４９の裏面が導冷板４１に密着している。吸熱フィン５１は水平方向に延びている。吸熱ヒートシンク１１のサイズは、導冷板４１およびペルチェ素子５と比べて大きく、そして、外側の放熱ヒートシンク７よりも大きい。導冷板４１およびペルチェ素子５は、吸熱ヒートシンク１１の略中央に位置している。
【００２５】
一対の冷気撹拌用ファン１３、１５は、図２に示されるように、吸熱ヒートシンク１１の吸熱フィン方向（水平方向）の両端に取り付けられている。すなわち、筐体３の内部から見て、冷気撹拌用ファン１３が右端に位置し、冷気撹拌用ファン１５が左端に位置する。そして、各冷気撹拌用ファン１３、１５は、吸熱フィン５１に沿った方向を向けて、この方向に送風するように配置されている。したがって、冷気撹拌用ファン１３、１５は、吸熱ヒートシンク１１の両側から互いに反対向きに送風を行う。
【００２６】
また、冷気撹拌用ファン１３、１５は、送風方向に対して横方向にずれた位置にある。より詳細には、左側の冷気撹拌用ファン１３が吸熱ヒートシンク１１の上部に位置し、右側の冷気撹拌用ファン１５が吸熱ヒートシンク１１の下部に位置している。したがって、両ファンは直接は向き合わない位置関係にある。
【００２７】
図１に示されるように、吸熱ヒートシンク１１の下部には、水受けトレイ１７が備えられている。水受けトレイ１７は吸熱ヒートシンク１１または筐体３に固定されている。水受けトレイ１７には、吸熱ヒートシンク１１の吸熱フィン５１にて結露で生じた水滴が滴下する。
【００２８】
水受けトレイ１７の底部には水抜き穴５３が開いている。そして、水抜き穴５３に、水抜き部材である水抜きパイプ１９が挿入され、接続されている。水抜きパイプ１９は斜め下方に延び、パイプ先端が筐体３の壁面を貫通して外部に突き出している。
【００２９】
水抜きパイプ１９には吸収剤５５が内蔵されている。吸収剤５５は、本実施の形態では、木綿糸（たとえば凧糸）である。木綿糸は、水抜きパイプ１９の端部から出て、水受けトレイ１７の底面に横たえられてる。木綿糸は、特に、水受けトレイ１７に固定されなくてよいし、特に決まった形に配置されなくてよい。ある程度の適当な長さの部分が水抜きパイプ１９から出ており、水受けトレイ１７に適当に横たえられればよい。
【００３０】
また、図１に示されるように、ペルチェ素子５と導冷板４１の周囲は、断熱材からなる断熱板６１で囲まれている。導冷板４１は段差を有しており、つば部４１ａが上下に延びている。断熱板６１の一方の面は、導冷板４１のつば部４１ａに接している。また、断熱板６１の他方の面は、放熱ヒートシンク７に接している。
【００３１】
このようにして、断熱板６１は、導冷板４１と放熱ヒートシンク７に挟まれて、ペルチェ素子５と、導冷板４１の一部（段差で細くなった部分）とを囲んでいる。そして、断熱板６１は、吸熱ヒートシンク１１、導冷板４１、ペルチェ素子５および放熱ヒートシンク７からなる一連の構成を、筐体部材２１から熱的に隔離している。
【００３２】
断熱板６１のさらに外側にはパッキン６３が備えられている。パッキン６３は、放熱ヒートシンク７と筐体３の隙間に嵌っている。
【００３３】
上記構成のうち、ペルチェ素子５、放熱ヒートシンク７、導冷板４１および断熱板６１は、以下に説明するように、予め互いに組み立てられてから、筐体３へ組み付けられる。
【００３４】
図３および図４は、ペルチェ素子部アッシー７１の斜視図および分解図であり、ペルチェ素子部アッシー７１は、ペルチェ素子５、放熱ヒートシンク７、導冷板４１および断熱板６１の組立て品である。図示のように、放熱ヒートシンク７のベース板部３１の略中央部にペルチェ素子５が配置される。ペルチェ素子５には電源コード７３が接続されている。ペルチェ素子５を囲むように、断熱板６１がベース板部３１に載せられる。ペルチェ素子５は、断熱板６１の中央の穴に嵌り込む。さらに、ペルチェ素子５と断熱板６１の上に導冷板４１が載せられる。導冷板４１は、断熱板６１の穴に嵌ってペルチェ素子５に接する。また、導冷板４１のつば部４１ａは断熱板６１の上に載る。
【００３５】
これら放熱ヒートシンク７、ペルチェ素子５、断熱板６１および導冷板４１は、ねじ７５によって互いに固定される。４本のねじ７５は、導冷板４１および断熱板６１の穴を通り、放熱ヒートシンク７のねじ穴に締め付けられる。ねじ７５は、樹脂製の断熱カラー７７および樹脂製の断熱ブッシュ７９に通され、これにより導冷板４１から熱的に隔離されている。また、図３に示されるように、導冷板４１の外周と断熱板６１のコーナー部は充填接着剤８１で密封されており、また、断熱板６１の外周と放熱ヒートシンク７のコーナー部も充填接着剤８１で密封されている。
【００３６】
図５は、筐体３に組み付けられた状態のペルチェ素子部アッシー７１の断面図である。断熱カラー７７は、断熱板６１の穴に通されており、さらに、導冷板４１の穴の一部にも嵌っている。断熱ブッシュ７９は、導冷板４１の穴に、断熱カラー７７と反対側から嵌っている。ねじ７５は、断熱ブッシュ７９と断熱カラー７７の穴を通って放熱ヒートシンク７に締め付けられている。断熱ブッシュ７９のフランジ部が、ねじ７５の頭部と導冷板４１の間に挟まっている。したがって、ねじ７５は導冷板４１に接していない。
【００３７】
また、ねじ７５は、吸熱ヒートシンク１１の凹部に嵌り込む。この凹部の底に断熱カバー８３が備えられている。断熱カバー８３がねじ７５の頭部と吸熱ヒートシンク１１の間に位置する。したがって、ねじ７５は、吸熱ヒートシンク１１とも直接接触しないように構成されている。
【００３８】
図６は、上述したペルチェ素子部アッシー７１の取付部分を外側から見た図である。筐体３の外面に凹部９１が設けられており、凹部９１の底に穴９３が設けられている（凹部９１は図１、図２では簡略化のために省略されている）。また、凹部９１の壁面にファン固定板９５が取り付けられている。凹部９１の底にパッキン６３が敷かれ、その上にペルチェ素子部アッシー７１が組み付けられる。ペルチェ素子部アッシー７１が凹部９１に挿入され、断熱板６１が穴９３に嵌り込む。そして、ねじ９７でペルチェ素子部アッシー７１が筐体３に固定される。８本のねじ９７が、放熱ヒートシンク７とパッキン６３の穴を通って、筐体３のねじ穴に締め付けられる。さらに外側から、フード付きの放熱ファン９が組み付けられる。放熱ファン９のフード３５が、放熱ヒートシンク７に被せられる。そして、ねじ９９が、放熱ファン９の取付板１０１の穴に通されて、筐体３側のファン固定板９５のねじ穴に締め付けられる。
【００３９】
図７は、筐体３の断面構造を示している。筐体部材２１はステンレス製の板である。筐体部材２１の内側には複数の帯状のスペーサ１１１が間隔をあけて貼られており、さらにスペーサ１１１の上に壁シート１１３が貼られている。これにより、壁シート１１３と筐体部材２１の間に空気室１１５が形成されている。空気室１１５は、筐体内面に沿っており、筐体内部空間からは隔離されている。
【００４０】
壁シート１１３およびスペーサ１１１は、断熱透明シートで作られており、より詳細にはポリカーボネートシートで作られている。
【００４１】
壁シート１１３は、筐体部材２１の内側全面に備えられている。すなわち、４つの壁面、天井および床の全体が壁シート１１３で覆われており、したがって、空気室１１５も筐体３の内側全面に設けられている。より詳細には、スペーサ１１１が適当な間隔で配置されているので、複数の空気室１１５が筐体内面全体に設けられている。
【００４２】
一方、筐体部材２１の外側は、断熱材１１７で覆われている。断熱材１１７は、筐体部材２１の周囲の全体を囲っている。すなわち、４つの壁面と天井および床の全体が断熱材１１７で覆われている。断熱材１１７は断熱スポンジであり、より詳細にはクロロブレンゴムのスポンジである。
【００４３】
以上に本実施の形態に係る冷却装置１の構成を説明した。次に、冷却装置１の動作を説明する。ペルチェ素子５に電流が流れると、筐体外部を向いた高温面の温度が上昇し、筐体内部を向いた低温面の温度が低下する。高温面の熱は、放熱ヒートシンク７に伝達され、放熱フィン３３から放出される。放熱ファン９は、放熱フィン３３付近の空気を吸い出して、放熱フィン３３による放熱を促進する。
【００４４】
一方、低温面側では、ペルチェ素子５が銅製の導冷板４１を介して吸熱ヒートシンク１１に接しており、吸熱ヒートシンク１１がペルチェ素子５によって冷やされる。そして、吸熱フィン５１の温度が下がり、筐体内部の空気が吸熱フィン５１によって冷やされる。
【００４５】
一対の冷気撹拌用ファン１３、１５は、吸熱ヒートシンク１１の吸熱フィン５１に沿って送風し、吸熱フィン５１により冷却される空気を筐体内で撹拌する。
【００４６】
冷気撹拌用ファン１３、１５は、吸熱ヒートシンク１１の左右両側にある。また、冷気撹拌用ファン１３、１５は、上下にずれた位置にあり、すなわち、送風方向に対して横にずれている。冷気撹拌用ファン１３は、吸熱ヒートシンク１１の上半部で左から右に送風し、冷気撹拌用ファン１５は、吸熱ヒートシンク１１の下半部で右から左に送風し、両ファンの風がすれちがう。このようにして、一対の冷気撹拌用ファン１３、１５により、筐体内全体で効率よく冷気を撹拌できる。
【００４７】
また、筐体３の全体（壁、床および天井）の内側に空気室１１５が設けられ、かつ、外側が断熱材１１７で覆われている。したがって、筐体全体が断熱され、筐体内の冷気が逃げにくくなっている。これにより、筐体内の冷却効果が高められる。
【００４８】
このようにして、本実施の形態では、ペルチェ素子５の低温面側（冷却側）に吸熱ヒートシンク１１と冷気撹拌用ファン１３、１５を設けた構成により、さらには、筐体３の断熱構成により、ペルチェ素子の冷却能力を増大しており、これにより、ペルチェ素子の小型化のメリットを活かした冷却装置において、さらに、炎天下の路上に置かれる屋外機器の内部雰囲気温度を周囲温度よりも低く保つことを可能にしている。
【００４９】
また、筐体内が冷却されると結露が生じ、吸熱ヒートシンク１１の吸熱フィン５１に水滴が付着する。特に、冷却装置１が屋外の高温・高湿度環境で使用されると、結露が生じやすい。吸熱フィン５１に付着した水滴は、吸熱ヒートシンク１１に沿って伝わり、下部の水受けトレイ１７に滴下する。そして、水受けトレイ１７の水は、水抜きパイプ１９を通って排出される。水抜きパイプ１９には、木綿糸からなる吸収剤５５が内蔵されている。水は、トレイ底部で吸収剤５５にしみこみ、吸収剤５５を伝わってパイプ内を通り、外部へと排出される。吸収剤５５によって水の排出が効果的に促進される。
【００５０】
以上に本発明の実施の形態に係る冷却装置１について説明した。本実施の形態によれば、ペルチェ素子５の両側に放熱ヒートシンク７と吸熱ヒートシンク１１を備え、さらに、吸熱ヒートシンク１１に対する送風によって筐体内の冷気を撹拌する冷気撹拌用ファン１３、１５を備えたので、ペルチェ素子５を介した熱放出を効果的に促進できる。またペルチェ素子５を用いることで装置を小型化できる。したがって、小型、軽量、安価で高い冷却能力を持つ冷却装置を提供できる。
【００５１】
特に、屋外機器に大型熱交換機を備える構成と比べると、本実施の形態は、大幅な小型化、軽量化が可能になり、部品点数も減り、コストも低減できる。
【００５２】
また、本実施の形態では、複数の冷気撹拌用ファン１３、１５が、吸熱ヒートシンク１１を挟んで吸熱フィン５１の方向の両端に配置されている。これら冷気撹拌用ファン１３、１５は、反対向きに送風を行うように配置されており、かつ、送風方向に対して互いに横方向にずれて配置されている。これにより、筐体内の空気を効率よく撹拌して、さらに冷却能力を向上できる。
【００５３】
また、本実施の形態では、放熱ヒートシンク７の熱を放出する放熱ファン９が備えられており、これにより、放熱ヒートシンク７からの放熱を促進でき、さらに冷却能力を向上できる。
【００５４】
また、本実施の形態では、筐体３の内面に沿って筐体内部空間から隔離された空気室１１５が備えられており、また、筐体３の外面が断熱材１１７で覆われており、これにより、筐体内の冷気が逃げるのを防ぎ、冷却能力を向上できる。
【００５５】
また、本実施の形態では、吸熱ヒートシンク１１の下部に水受けトレイ１７が配置され、水受けトレイ１７の底部の水抜き穴に、水を吸収する吸収剤５５を内蔵した水抜き部材１９が接続されており、これにより、結露で生じる筐体内の水を効果的に排出できる。水の効果的な排出により、錆およびマイグレーションに起因する故障を低減できる。
【００５６】
また、吸収剤５５は木綿糸であり、水抜き部材はパイプであり、前記筐体外部まで延びている。これにより、安価な素材で水分の排出を効果的に促進できる。
【００５７】
このようにして、本実施の形態によれば、屋外または屋内の高温・高湿度な環境でも使用でき、小型、軽量で安価な冷却装置を提供できる。
【００５８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５９】
以上のように、本発明にかかる冷却装置は、小型化、軽量化等が可能であるという効果を有し、屋外機器用冷却装置等として有用である。
【図面の簡単な説明】
【００６０】
【図１】本発明の実施の形態に係る冷却装置の断面図
【図２】本発明の実施の形態に係る冷却装置の斜視図
【図３】ペルチェ素子部アッシーの斜視図
【図４】ペルチェ素子部アッシーの分解図
【図５】ペルチェ素子部アッシーを含む冷却装置の断面図
【図６】筐体、ペルチェ素子部アッシー、放熱ファンの分解組立図
【図７】筐体の断面構造を示す図
【符号の説明】
【００６１】
１  冷却装置
３  筐体
５  ペルチェ素子
７  放熱ヒートシンク
９  放熱ファン
１１  吸熱ヒートシンク
１３、１５  冷気撹拌用ファン
１７  水受けトレイ
１９  水抜きパイプ
２３  内部機器
４１  導冷板
５１  放熱フィン
６１  断熱板
１１５  空気室
１１７  断熱材
【図１】
2006292269.tif 000003
【図２】
2006292269.tif 000004
【図３】
2006292269.tif 000005
【図４】
2006292269.tif 000006
【図５】
2006292269.tif 000007
【図６】
2006292269.tif 000008
【図７】
2006292269.tif 000009